(57)【要約】      （修正有）【課題】水上に安定した状態で設置可能な球技用水上ゴール構造物を提供する。【解決手段】球技用水上ゴール構造物１は、水面Ｗ上に設置される環状の枠体であるベースフレーム部１１と、ベースフレーム部１１の左側、右側、前側のフレームに取り付けられた浮体１１３Ｌ、１１３Ｒ、１１３Ｆと、ベースフレーム部１１の四隅に設けられた４個の重り設置部と、ベースフレーム部１１から上方に延在する支持フレーム部１２と、支持フレーム部１２に支持されて水面Ｗの上方に水面Ｗから離間して配置されるゴールフレーム部１３と、前記４個の重り設置部の各々に着脱可能に設置される複数枚の重りを備える。ユーザは、前記４個の重り設置部の各々に設置する重りの枚数を調整することにより、球技用水上ゴール構造物１の姿勢を調整し、水面Ｗ上で安定させることができる。【選択図】図１
2020168322.tif 000002
【特許請求の範囲】
【請求項１】
水面に設置される環状の枠体であるベースフレーム部と、
水面の上方の水面から離れた位置に設置される枠体であるゴールフレーム部と、
前記ベースフレーム部から上方に延在し、前記ゴールフレーム部を支持する枠体である支持フレーム部と、
前記ベースフレーム部に取り付けられた１以上の浮体と、
前記ベースフレーム部又は前記支持フレーム部に着脱可能に取り付けられる重りと
を備える球技用水上ゴール構造物。
【請求項２】
前記１以上の浮体は、前記ベースフレーム部に対し位置を変更可能に取り付けられている
請求項１に記載の球技用水上ゴール構造物。
【発明の詳細な説明】
【技術分野】
【０００１】
本発明は、水上に配置される球技用水上ゴール構造物に関する。
【背景技術】
【０００２】
水上で行われる競技として、例えば、一人乗りカヌーに乗って行う球技であるカヌーポロがある。特許文献１には、浮揚構造物であるポンツーン（浮き桟橋）が記載されており、当該ポンツーンをカヌーポロ用プールに適用できることが記載されている。
【先行技術文献】
【特許文献】
【０００３】
【特許文献１】特表２０１０−５２６７２８号公報
【発明の概要】
【発明が解決しようとする課題】
【０００４】
特許文献１には、カヌーポロにおける水上ゴールの設置については記載されていない。
上記の事情に鑑み、本発明は、水上に安定した状態で設置可能な球技用水上ゴール構造物を提供する。
【課題を解決するための手段】
【０００５】
上述した課題を解決するために、本発明は、水面に設置される環状の枠体であるベースフレーム部と、水面の上方の水面から離れた位置に設置される枠体であるゴールフレーム部と、前記ベースフレーム部から上方に延在し、前記ゴールフレーム部を支持する枠体である支持フレーム部と、前記ベースフレーム部に取り付けられた１以上の浮体と、前記ベースフレーム部又は前記支持フレーム部に着脱可能に取り付けられる重りとを備える球技用水上ゴール構造物を第１の態様として提供する。
【０００６】
第１の態様の球技用水上ゴール構造物において、前記１以上の浮体は、前記ベースフレーム部に対し位置を変更可能に取り付けられている、という構成が第２の態様として採用されてもよい。
【発明の効果】
【０００７】
本発明によれば、水上における球技用水上ゴール構造物を安定した状態で設置することができる。
【図面の簡単な説明】
【０００８】
【図１】一実施形態に係る球技用水上ゴール構造物の全体構成を示した斜視図。
【図２】一実施形態に係る球技用水上ゴール構造物の右側面図、平面図及び正面図。
【図３】一実施形態に係る球技用水上ゴール構造物の重り設置部の構成と重りの設置方法を説明するための図。
【発明を実施するための形態】
【０００９】
［実施形態］
以下、本発明の実施形態に係る球技用水上ゴール構造物１を説明する。図１は、球技用水上ゴール構造物１の全体構成を示した斜視図である。また、図２は、球技用水上ゴール構造物１の構成を示す図であり、図２（Ａ）は右側面図、図２（Ｂ）は平面図、図２（Ｃ）は正面図である。図２（Ａ）の右側面図には、水面Ｗとカヌー２０が参考として記載されている。
【００１０】
球技用水上ゴール構造物１は、水上球技であるカヌーポロで用いるためのゴール構造物である。球技用水上ゴール構造物１は、水面Ｗに設置される環状の枠体であるベースフレーム部１１、ベースフレーム部１１から上方に延在する枠体である支持フレーム部１２、支持フレーム部１２に支持され水面Ｗの上方の水面Ｗから離れた位置に設置される枠体であるゴールフレーム部１３を備える。本実施形態において、ベースフレーム部１１は矩形の枠体であるが、その形状は矩形に限られない。これらのフレーム部は、例えば、ステンレス製の角パイプを溶接等により連結して製造される。ただし、これらのフレーム部の材料はステンレス製の角パイプに限られない。また、これらのフレーム部の製造方法は溶接によるものに限られない。
【００１１】
球技用水上ゴール構造物１が設置された位置の水底には、４つの錨１６が設置されている。水上には、４つの浮体１７が浮かべられている。錨１６の各々は、対応する１つの浮体１７とロープ１８によって結ばれている。このため、浮体１７の各々の水面Ｗにおける位置が一定範囲の領域内に規制される。４つの浮体１７の各々は、ベースフレーム部１１の四隅のうちの１つの近傍に浮かべられており、ベースフレーム部１１の四隅の部分とロープ１９により結ばれている。このため、ベースフレーム部１１の水面Ｗにおける位置が一定範囲の領域内に規制される。
【００１２】
カヌーポロにおいては、一人乗りのカヌー２０に乗った複数の競技者は、ゴールフレーム部１３にボールを投げ込むことにより得点を競う。ゴールフレーム部１３は底辺が高さ２ｍの位置に設置される。ゴールフレーム部１３は、横１．５ｍ、縦１ｍの大きさである。
【００１３】
本明細書では、球技用水上ゴール構造物１のゴールフレーム部１３が設けられている側を前、その逆方向を後とし、球技用水上ゴール構造物１の左右は前を向いた場合の左右をいう。
【００１４】
ベースフレーム部１１の左後の隅には重り設置部１１１Ｌ、右後の隅には重り設置部１１１Ｒ、左前の隅には重り設置部１１２Ｌ、右前の隅には重り設置部１１２Ｒが設けられている。これらの重り設置部の構成については後述する。
【００１５】
ベースフレーム部１１の左側、右側、前側のフレームには、各々、浮体１１３Ｌ、１１３Ｒ、１１３Ｆが設けられている。浮体１１３Ｌ、１１３Ｒ、１１３Ｆは、球技用水上ゴール構造物１を水面Ｗ上に浮かび上がらせるための浮力を発生させる部材であり、例えば発泡スチロールでできている。ただし、これらの浮体の材料は発泡スチロールに限られず、例えば中空の樹脂製ケース等で形成されてもよい。
【００１６】
浮体１１３Ｌ、１１３Ｒ、１１３Ｆは、ベースフレーム部１１に対し位置を変更可能に取り付けられている。すなわち、ユーザは、浮体１１３Ｌ及び１１３Ｒを、それらが取り付けられている左側フレーム及び右側フレームに対して前後方向に移動させることが可能である。また、ユーザは、浮体１１３Ｆを、それが取り付けられている前側フレームに対して左右方向に移動させることが可能である。ユーザは、浮体１１３Ｌ、１１３Ｒ、１１３Ｆの位置を移動させることにより、ベースフレーム部１１に作用する浮力の前後左右のバランスを調整することができる。
【００１７】
支持フレーム部１２は、フレーム１２１Ｌ、１２１Ｒ、１２２Ｌ、１２２Ｒ、１２３Ｌ、１２３Ｒ、１２４Ｌ、１２４Ｒ、１２４Ｗ、１２５Ｌ、１２５Ｒ、１２５Ｗで構成されている。
【００１８】
フレーム１２１Ｌは、一端側がベースフレーム部１１の右側フレームの前端位置に連結され、ベースフレーム部１１が形成されている平面に対して垂直上方向に延在して設けられる。フレーム１２１Ｒは、一端側がベースフレーム部１１の左側フレームの前端位置に連結され、ベースフレーム部１１が形成されている平面に対して垂直上方向に延在して設けられる。
【００１９】
フレーム１２２Ｌは、一端側がフレーム１２１Ｌの延在方向の途中位置に連結され、斜め前上方に向かって延在して設けられる。フレーム１２２Ｒは、一端側がフレーム１２１Ｒの延在方向の途中位置に連結され、斜め前上方に向かって延在して設けられる。
【００２０】
フレーム１２３Ｌは、一端側がベースフレーム部１１の左側フレームの後側位置（フレーム１２１Ｌの一端側が固定された位置よりも後側の位置）に固定され、斜め前上方に向かって延在して設けられる。また、フレーム１２３Ｌは、フレーム１２１Ｌの上方端の位置より前方まで延在して設けられる。そして、フレーム１２３Ｌの延在方向の途中位置において、フレーム１２１Ｌの上方端と連結されている。
【００２１】
フレーム１２３Ｒは、一端側がベースフレーム部１１の右側フレームの後側位置（フレーム１２１Ｒの一端側が固定された位置よりも後側の位置）に固定され、斜め前上方に向かって延在して設けられる。また、フレーム１２３Ｒは、フレーム１２１Ｒの上方端の位置より前方まで延在して設けられる。そして、フレーム１２３Ｒの延在方向の途中位置において、フレーム１２１Ｒの上方端と連結されている。
フレーム１２２Ｌ、１２２Ｒ、１２３Ｌ、１２３Ｒの延在方向は互いに平行である。
【００２２】
フレーム１２４Ｌは、一端側がフレーム１２２Ｌの前方端に連結され、水平方向に延在して設けられている。フレーム１２４Ｒは、一端側がフレーム１２２Ｒの前方端に連結され、水平方向に延在して設けられている。フレーム１２４Ｗは、フレーム１２２Ｌ、１２２Ｒの各々の前方端を左右方向に接続するフレームであり、両端部はフレーム１２２Ｌ、１２２Ｒの各々の前方端に連結されている。
【００２３】
フレーム１２５Ｌは、一端側がフレーム１２３Ｌの前方端に連結され、水平方向に延在して設けられている。フレーム１２５Ｒは、一端側がフレーム１２３Ｒの前方端に連結され、水平方向に延在して設けられている。また、フレーム１２５Ｗは、フレーム１２３Ｌ、１２３Ｒの各々の前方端を左右方向に接続するフレームであり、両端部はフレーム１２３Ｌ、１２３Ｒの各々の前方端に連結されている。
【００２４】
フレーム１２４Ｌ、１２４Ｒ、１２５Ｌ、１２５Ｒの延在方向は互いに平行である。また、フレーム１２４Ｌ、１２４Ｒ、１２５Ｌ、１２５Ｒを平面視した場合の前後方向における各々の前方端の位置は同一である。
【００２５】
ゴールフレーム部１３は、矩形の環状の枠体である。ゴールフレーム部１３は、その四隅において、フレーム１２４Ｌ、１２４Ｒ、１２５Ｌ、１２５Ｒの各々の前端部と連結されている。
【００２６】
ゴールネット１４は、ゴールフレーム部１３に取り付けられる網であり、ゴールフレーム部１３の位置から後方のフレーム１２４Ｌ、１２４Ｒ、１２５Ｌ、１２５Ｒの方向に向けてかけられる。競技時には、ゴールフレーム部１３に向けてボールが投げ込まれ、ゴールフレーム部１３を通過したボールがゴールネット１４内に落ちることにより、得点が認められることになる。
【００２７】
図３は、重り設置部１１１Ｌ、１１１Ｒ、１１２Ｌ、１１２Ｒの構成と重りの設置方法を説明するための図である。重り設置部１１１Ｌ、１１１Ｒ、１１２Ｌ、１１２Ｒは、各々同様の構成であるので、以下「重り設置部１１１」として説明する。
【００２８】
図３（Ａ）に示すように、重り設置部１１１は、プレート１１１１と突起柱１１１２とを備えている。プレート１１１１は、平板状の部材であり、ベースフレーム部１１を形成する２方向に延在するフレームが交差する部分の上側にネジ止めあるいは溶接等により固定されている。プレート１１１１の表面には、突起柱１１１２が設けられている。突起柱１１１２は、円柱形状の部材であり、下端側はプレート１１１１の表面にネジ止めあるいは溶接等により固定されている。突起柱１１１２は、このようにして、プレート１１１１の表面から鉛直方向に突出するように設けられている。
【００２９】
重り１５は、円環形状の板状の部材である。円環形状の中心位置の円形の中空部の直径は、突起柱１１１２の円筒形状の直径よりも僅かに大きい。そのため、重り１５を上方から突起柱１１１２に近づけていけば、重り１５の中空部内を突起柱１１１２が通過し、図３（Ｂ）に示すように、重り１５の中空部を突起柱１１１２が貫通した状態で重り１５をプレート１１１１上に設置することができる。
【００３０】
重り１５の厚さは、突起柱１１１２の高さに対して薄いため、図３（Ｃ）に示すように、重り１５の中空部内に突起柱１１１２を通過させた状態で、重り１５を複数枚重ねて設置することができる。設置された重り１５の各々は、中空部を突起柱１１１２が貫通しているため、水面Ｗにおいてベースフレーム部１１が揺れたり傾いたりしても、重り１５がプレート１１１１上から脱落することはない。
【００３１】
球技用水上ゴール構造物１は、浮体１１３Ｌ、１１３Ｒ、１１３Ｆによる浮力により、水面Ｗ上に浮いている状態を保っている。しかしながら、ゴールフレーム部１３の位置を正しい位置に安定させるためには、浮体１１３Ｌ、１１３Ｒ、１１３Ｆが発生する浮力の前後左右のバランスを調整する必要がある。
【００３２】
本実施形態においては、ユーザは、重り設置部１１１Ｌ、１１１Ｒ、１１２Ｌ、１１２Ｒの各々に設けられた４つのプレート１１１１及び突起柱１１１２に設置する重り１５の枚数を各々調整することにより、球技用水上ゴール構造物１に対し生じている浮力の一部をキャンセルし、ベースフレーム部１１が水面Ｗ上に位置するように、球技用水上ゴール構造物１の姿勢を調整することができる。
【００３３】
球技用水上ゴール構造物１において、ゴールフレーム部１３がベースフレーム部１１に対して前方の位置に設けられているため、球技用水上ゴール構造物１の重心が前方に偏っている。そのため、重り設置部１１１Ｌ、１１１Ｒに設置する重り１５の数を、重り設置部１１２Ｌ、１１２Ｒに設置する重り１５の数より多くすることにより、ベースフレーム部１１が水面Ｗ上に位置するように、球技用水上ゴール構造物１の姿勢を調整することができる。
【００３４】
ただし、重り１５の数の調整では、球技用水上ゴール構造物１の姿勢を大まかにしか調整できない。そこで、ユーザは、重り１５の数の調整により球技用水上ゴール構造物１の姿勢を大まかに調整した後、浮体１１３Ｌ、１１３Ｒ、１１３Ｆの位置を調整することにより、球技用水上ゴール構造物１の姿勢を微調整する。これにより、ゴールフレーム部１３が水上の正しい位置で安定することになる。
【００３５】
［変形例］
上述の実施形態は本発明の一具体例であって、本発明の技術的思想の範囲内において様々に変形可能である。以下にそれらの変形の例を示す。なお、以下に示す２以上の変形例が適宜組み合わされてもよい。
【００３６】
（１）上述した実施形態においては、浮体１１３Ｌ、１１３Ｒ、１１３Ｆは、ベースフレーム部１１の３箇所に設けるものとしたが、これに限られない。ベースフレーム部１１の水面Ｗにおける浮力のバランスが適切に保たれるのであれば、浮体の個数及び設置位置は上述した実施形態におけるものに限られない。
【００３７】
（２）上述した実施形態においては、重り１５を設置する場所を、重り設置部１１１Ｌ、１１１Ｒ、１１２Ｌ、１１２Ｒの４箇所としたが、これに限られない。ベースフレーム部１１の水面Ｗにおける浮力のバランスが適切に保たれるのであれば、重り設置部の個数及び設置位置は上述した実施形態におけるものに限られない。
【００３８】
（３）上述した実施形態においては、球技用水上ゴール構造物１の水面Ｗ上における位置を一定範囲内に規制するために、錨１６と浮体１７とを用いたが、浮体１７は必ずしも必要ではない。錨１６を球技用水上ゴール構造物１のベースフレーム部１１にロープを介して直接接続してもよい。この場合、接続に用いるロープの長さを可変にできる機構が設けられることが好ましい。この機構により錨１６とベースフレーム部１１とを結ぶロープの張力を適切に設定できる。
【００３９】
（４）錨１６と浮体１７を接続するロープ１８（又は、錨１６とベースフレーム部１１を直接接続するロープ）は、水面Ｗの高さの変動に追従できるように、弾性体のロープ、又は、巻き上げ機を介して錨１６に連結され、巻き上げ機により張力が生じる方向に付勢されたロープであってもよい。
【００４０】
（５）上述した実施形態において、重り１５の設置位置は、重り設置部が配置されているベースフレーム部１１の四隅に限られている。これに代えて、重り１５のベースフレーム部１１に対する設置位置が変更可能であってもよい。例えば、重り１５の形状を、浮体１１３Ｌ等と同様に、ベースフレーム部１１を構成するフレームの周りを取り巻く形状とし、フレームの延伸方向にスライド可能としてもよい。
【００４１】
（６）上述した実施形態において、重り１５はベースフレーム部１１に設けられた重り設置部に取り付けられる。これに代えて、重り１５が支持フレーム部１２に取り付けられてもよい。
【００４２】
（７）上述した実施形態において説明に用いた球技用水上ゴール構造物１の具体的な形状、数量、材料等は様々に変更されてよい。
【００４３】
（８）本発明に係る球技用水上ゴール構造物の用途はカヌーポロに限られない。本発明に係る球技用水上ゴール構造物は、カヌーポロ以外の水中競技のゴール構造物として用いられてもよい。
【符号の説明】
【００４４】
１…球技用水上ゴール構造物、１１…ベースフレーム部、１２…支持フレーム部、１３…ゴールフレーム部、１４…ゴールネット、１５…重り、１６…錨、１７…浮体、１８・１９…ロープ、２０…カヌー、１１１Ｌ・１１１Ｒ・１１２Ｌ・１１２Ｒ…重り設置部、１１３Ｌ・１１３Ｒ・１１３Ｆ…浮体、１２１Ｌ・１２１Ｒ・１２２Ｌ・１２２Ｒ・１２３Ｌ・１２３Ｒ・１２４Ｌ・１２４Ｒ・１２４Ｗ・１２５Ｌ・１２５Ｒ・１２５Ｗ…フレーム、１１１１…プレート、１１１２…突起柱。
【図１】
2020168322.tif 000003
【図２】
2020168322.tif 000004
【図３】
2020168322.tif 000005